(57)【要約】【課題】コストを抑え組立て容易な空調システムを提供する。【解決手段】空調システム１００は、主モジュール３１と、複数の副モジュール３２を備える。主モジュール３１は、主制御部４１と、接続ラインに接続される出力端子３１１と、出力端子３１１にループ電流Ｉａを送る第１通信ラインＬＣ１と、指令に応じて電源Ｖ２を生成する切換部４７と、第１通信ラインＬＣ１とは別に出力端子３１１に電源Ｖ２を供給する第１電源供給ラインＬＰ１とを含む。副モジュール３２は、副制御部５０と、接続ラインに接続される第１入力端子３２１と、第１入力端子３２１からループ電流Ｉａが流れる第２通信ラインＬＣ２と、第２通信ラインＬＣ２とは別に第１入力端子３２１から電源Ｖ２を送られる第２電源供給ラインＬＰ２と、絶縁型電源トランスであるレベルシフタ５６と、充電部５７とを含む。【選択図】図３
2016008734.tif 000002
【特許請求の範囲】
【請求項１】
接続ライン（１ａ、３ａ）で電気的に接続された複数の通信モジュール間でカレントループ通信により信号の送受信を行う空調システム（１００）であって、
主モジュール（３１）と、
１以上の副モジュール（３２）と、
を備え、
前記主モジュールは、１の前記通信モジュールであって、
主モジュール制御部（４１）と、
前記接続ラインに接続される主モジュール出力端子（３１１）と、
一端がカレントループ通信用電流源（４２）に接続されるとともに他端が前記主モジュール出力端子に接続され、カレントループ通信用電流（Ｉａ）が流れる通信ライン（ＬＣ１）と、
第１電源（１２０）に接続され、前記主モジュール制御部からの指令に応じて副モジュール駆動用電源（Ｖ２）を生成する電源生成部（４７）と、
前記通信ラインとは別に設けられ、一端が前記電源生成部に接続されるとともに他端が前記主モジュール出力端子に接続されて、前記副モジュール駆動用電源を供給する電源供給ライン（１２２）と、
を含み、
前記副モジュールは、前記主モジュール以外の１の前記通信モジュールであって、
副モジュール制御部（５０）と、
前記接続ラインに接続される副モジュール入力端子（３２１）と、
前記副モジュール入力端子に接続されて前記カレントループ通信用電流が流れる副モジュール通信ライン（ＬＣ２）と、
前記副モジュール通信ラインとは別に設けられ、前記副モジュール入力端子に接続されて前記副モジュール駆動用電源を供給される副モジュール電源供給ライン（ＬＰ２）と、
一次側が前記副モジュール電源供給ラインに接続され、二次側が前記副モジュール制御部に接続される絶縁電源トランス（５６）と、
前記絶縁電源トランスの二次側に接続されるとともに前記副モジュール制御部に接続される充電部（５７）と、
を含む、
空調システム（１００）。
【請求項２】
前記カレントループ通信用電流源は、前記第１電源とは異なる第２電源（１１０）に接続される、
請求項１に記載の空調システム（１００）。
【請求項３】
前記副モジュールを複数備え、
各副モジュールは、前記副モジュール制御部の電源負荷がそれぞれ同一である、
請求項１又は２に記載の空調システム（１００）。
【請求項４】
前記主モジュールは、前記通信ラインの導通及び遮断を切り換える第１スイッチ（４５ａ）をさらに含み、
前記主モジュール制御部は、前記電源生成部及び前記第１スイッチの動作を制御して、所定のタイミングで、前記接続ラインに前記副モジュール駆動用電源が供給される第１状態と、前記接続ラインに前記カレントループ通信用電流が供給される第２状態と、を切り換える、
請求項１から３のいずれか１項に記載の空調システム（１００）。
【請求項５】
前記主モジュール制御部は、前記副モジュール制御部からの要求に基づいて、前記第１状態に切り換えるタイミングを決定する、
請求項４に記載の空調システム（１００）。
【請求項６】
前記主モジュール制御部は、起動時において、所定時間（Ｔ１）が経過するまでは前記第１状態を維持する、
請求項４又は５に記載の空調システム（１００）。
【請求項７】
前記副モジュールは、
前記副モジュール電源供給ラインに接続され、導通すると前記副モジュール電源供給ラインの抵抗値又はインピーダンスを高める高負荷回路（ＬＤ２）と、
前記高負荷回路の導通及び遮断を切り換える第２スイッチ（５５）と、
をさらに含み、
前記副モジュール制御部は、起動してから前記所定時間が経過した後には、周期的に、前記第２スイッチの状態を切り換えて前記高負荷回路を導通又は遮断させる、
請求項６に記載の空調システム（１００）。
【請求項８】
前記主モジュールは、前記電源供給ラインに流れる電流量を検出する電流検出部をさらに含み、
前記主モジュール制御部は、前記第１状態にある場合において、前記電流検出部によって検出される電流検出量が所定の第１閾値未満の時には、前記第１状態から前記第２状態へ切り換える、
請求項６又は７に記載の空調システム（１００）。
【発明の詳細な説明】
【技術分野】
【０００１】
本発明は、空調システムに関する。
【背景技術】
【０００２】
従来から、いわゆるカレントループ方式により複数のモジュール間の通信を行う空調システムが知られている。例えば、特許文献１（特開２０１０−９８７２６号公報）では、機器の制御を行う複数のモジュールがループ状の伝送路で接続され、各モジュールに配置される制御部が、伝送路上に流れる電流を変化させることで送信信号を生成し、当該変化を検出することで送信信号を受信している。
【発明の概要】
【発明が解決しようとする課題】
【０００３】
ところで、特許文献１では、制御部に電源を供給する電源部が各モジュールに配置されている分、コストがかかる。また、外部電源と各電源部とを接続する電源供給経路を、伝送路とは別に設ける必要があるため、組立てが煩雑となる。そこで、本発明の課題は、コストを抑制しつつ組立てが容易な空調システムを提供することである。
【課題を解決するための手段】
【０００４】
本発明の第１観点に係る空調システムは、接続ラインで電気的に接続された複数の通信モジュール間でカレントループ通信により信号の送受信を行う空調システムであって、主モジュールと、１以上の副モジュールと、を備える。主モジュールは、１の通信モジュールである。主モジュールは、主モジュール制御部と、主モジュール出力端子と、通信ラインと、電源生成部と、電源供給ラインと、を含む。主モジュール出力端子は、接続ラインに接続される。通信ラインは、一端がカレントループ通信用電流源に接続される。通信ラインは、他端が主モジュール出力端子に接続される。通信ラインには、カレントループ通信用電流が流れる。電源生成部は、第１電源に接続される。電源生成部は、主モジュール制御部からの指令に応じて副モジュール駆動用電源を生成する。電源供給ラインは、通信ラインとは別に設けられる。電源供給ラインは、一端が電源生成部に接続されるとともに他端が主モジュール出力端子に接続される。電源供給ラインは、副モジュール駆動用電源を供給する。副モジュールは、主モジュール以外の１の通信モジュールである。副モジュールは、副モジュール制御部と、副モジュール入力端子と、副モジュール通信ラインと、副モジュール電源供給ラインと、絶縁電源トランスと、充電部と、を含む。副モジュール入力端子は、接続ラインに接続される。副モジュール通信ラインは、副モジュール入力端子に接続される。副モジュール通信ラインには、カレントループ通信用電流が流れる。副モジュール電源供給ラインは、副モジュール通信ラインとは別に設けられる。副モジュール電源供給ラインは、副モジュール入力端子に接続される。副モジュール電源供給ラインは、副モジュール駆動用電源を供給される。絶縁電源トランスは、一次側が副モジュール電源供給ラインに接続される。絶縁電源トランスは、二次側が副モジュール制御部に接続される。充電部は、絶縁電源トランスの二次側に接続される。充電部は、副モジュール制御部に接続される。
【０００５】
本発明の第１観点に係る空調システムでは、主モジュールは、出力端子を介して接続ラインに接続される通信ライン及び電源供給ラインを含む。また、副モジュールは、入力端子を介して接続ラインに接続される副モジュール通信ライン及び副モジュール電源供給ラインと、一次側が副モジュール電源供給ラインに接続され二次側が副モジュール制御部に接続される絶縁電源トランスと、絶縁電源トランスの二次側に接続されるとともに副モジュール制御部に接続される充電部と、を含む。これにより、通信モジュール間においてカレントループ通信用電流が流れる接続ラインを介して、副モジュール駆動用電源が副モジュールに供給される。すなわち、通信モジュール間の接続ラインが、カレントループ通信用の信号伝送路及び副モジュール駆動用電源を送る給電路の双方として機能する。その結果、副モジュールにおいて個別に電源を配置する必要がなく、コストが抑制される。また、通信モジュール間において信号伝送路とは別に電源供給用の給電路を設ける必要がなく、組立性が向上する。
【０００６】
本発明の第２観点に係る空調システムは、第１観点に係る空調システムであって、カレントループ通信用電流源は、第２電源に接続される。第２電源は、第１電源とは異なる電源である。
【０００７】
本発明の第２観点に係る空調システムでは、カレントループ通信用電流源は、第１電源とは異なる第２電源に接続される。これにより、第１電源よりも電源電圧の高い副モジュール駆動用電源を副モジュールに供給することが可能となる。その結果、汎用性が向上する。
【０００８】
本発明の第３観点に係る空調システムは、第１観点又は第２観点に係る空調システムであって、副モジュールを複数備える。各副モジュールは、副モジュール制御部の電源負荷がそれぞれ同一である。
【０００９】
本発明の第３観点に係る空調システムでは、副モジュールを複数備え、各副モジュールは副モジュール制御部の電源負荷がそれぞれ同一である。これにより、接続ラインが信号伝送路及び給電路の双方として機能する場合においても、接続ラインを用いて２以上の副モジュール制御部に副モジュール駆動用電源を供給することが可能となる。その結果、コストがさらに抑制されるとともに組立性がさらに向上する。
【００１０】
本発明の第４観点に係る空調システムは、第１観点から第３観点のいずれかに係る空調システムであって、主モジュールは、第１スイッチをさらに含む。第１スイッチは、通信ラインの導通及び遮断を切り換える。主モジュール制御部は、電源生成部及び第１スイッチの動作を制御する。主モジュール制御部は、所定のタイミングで、第１状態と第２状態とを切り換える。第１状態では、接続ラインに副モジュール駆動用電源が供給される。第２状態では、接続ラインにカレントループ通信用電流が供給される。
【００１１】
本発明の第４観点に係る空調システムでは、主モジュール制御部は、所定のタイミングで、接続ラインに副モジュール駆動用電源が供給される第１状態と、接続ラインにカレントループ通信用電流が供給される第２状態と、を切り換える。これにより、第２状態において、副モジュール制御部は、第１状態において充電された充電部から電源を供給され、カレントループ通信を行う。その結果、接続ラインが信号伝送路及び給電路の双方として機能する場合においても、副モジュール制御部に駆動用電源が継続的に供給され、カレントループ通信を行うことが可能となる。
【００１２】
本発明の第５観点に係る空調システムは、第４観点に係る空調システムであって、主モジュール制御部は、副モジュール制御部からの要求に基づいて、第１状態に切り換えるタイミングを決定する。
【００１３】
本発明の第５観点に係る空調システムでは、主モジュール制御部は、副モジュール制御部からの要求に基づいて、第１状態に切り換えるタイミングを決定する。これにより、時機に応じて、接続ラインに副モジュール駆動用電源を送ることが可能となる。その結果、汎用性がさらに向上する。
【００１４】
本発明の第６観点に係る空調システムは、第４観点又は第５観点に係る空調システムであって、主モジュール制御部は、起動時において、所定時間が経過するまでは第１状態を維持する。
【００１５】
本発明の第６観点に係る空調システムでは、起動時において、所定時間が経過するまでは第１状態を維持する。これにより、起動時において、接続ラインに副モジュール駆動用電源が供給され、充電部において副モジュール制御部の駆動用電源が充電される。その結果、接続ラインが信号伝送路及び給電路の双方として機能する場合において、カレントループ通信を開始することが可能となる。
【００１６】
本発明の第７観点に係る空調システムは、第６観点に係る空調システムであって、副モジュールは、高負荷回路と、第２スイッチと、をさらに含む。高負荷回路は、副モジュール電源供給ラインに接続される。高負荷回路は、導通すると副モジュール電源供給ラインの抵抗値又はインピーダンスを高める。第２スイッチは、高負荷回路の導通及び遮断を切り換える。副モジュール制御部は、起動してから所定時間が経過した後には、周期的に、第２スイッチの状態を切り換えて高負荷回路を導通又は遮断させる。
【００１７】
本発明の第７観点に係る空調システムでは、副モジュール制御部は、起動してから所定時間が経過した後には、周期的に、第２スイッチの状態を切り換えて高負荷回路を導通又は遮断させる。これにより、起動してから所定時間が経過した後には、副モジュールにおいて、副モジュール電源供給ラインに副モジュール駆動用電源が送られる状態と、副モジュール通信ラインにカレントループ通信用電流が送られる状態と、が周期的に切り換えられる。その結果、接続ラインが信号伝送路及び給電路の双方として機能する場合において、カレントループ通信が容易に実現可能となる。
【００１８】
本発明の第８観点に係る空調システムは、第６観点又は第７観点のいずれかに係る空調システムであって、主モジュールは、電流検出部をさらに含む。電流検出部は、電源供給ラインに流れる電流量を検出する。主モジュール制御部は、第１状態にある場合において、電流検出部によって検出される電流検出量が所定の第１閾値未満の時には、第１状態から第２状態へ切り換える。
【００１９】
本発明の第８観点に係る空調システムでは、主モジュール制御部は、第１状態にある場合において、電流検出部によって検出される電流検出量が所定の第１閾値未満の時には、第１状態から第２状態へ切り換える。これにより、時機に応じて、接続ラインに副モジュール駆動用電源を送ることが可能となる。その結果、汎用性がさらに向上するとともに省電力性が向上する。
【発明の効果】
【００２０】
本発明の第１観点に係る空調システムでは、副モジュールにおいて個別に電源を配置する必要がなく、コストが抑制される。また、通信モジュール間において信号伝送路とは別に電源供給用の給電路を設ける必要がなく、組立性が向上する。
【００２１】
本発明の第２観点に係る空調システムでは、第１電源よりも電源電圧の高い副モジュール駆動用電源を副モジュールに供給することが可能となり、汎用性が向上する。
【００２２】
本発明の第３観点に係る空調システムでは、コストがさらに抑制されるとともに組立性がさらに向上する。
【００２３】
本発明の第４観点に係る空調システムでは、接続ラインが信号伝送路及び給電路の双方として機能する場合においても、副モジュール制御部に駆動用電源が継続的に供給されてカレントループ通信を行うことが可能となる。
【００２４】
本発明の第５観点に係る空調システムでは、汎用性がさらに向上する。
【００２５】
本発明の第６観点に係る空調システムでは、接続ラインが信号伝送路及び給電路の双方として機能する場合においても、カレントループ通信を開始することが可能となる。
【００２６】
本発明の第７観点に係る空調システムでは、接続ラインが信号伝送路及び給電路の双方として機能する場合において、カレントループ通信が容易に実現可能となる。
【００２７】
本発明の第８観点に係る空調システムでは、汎用性がさらに向上するとともに省電力性が向上する。
【図面の簡単な説明】
【００２８】
【図１】本発明の一実施形態に係る空調システムの概略構成図。
【図２】通信システムの概略構成図。
【図３】主モジュールの概略構成図。
【図４】副モジュールの概略構成図。
【図５】主制御部の概略構成図。
【図６】副制御部の概略構成図。
【図７】主モジュールタイミング制御に係る処理の流れを示したフローチャート。
【図８】副モジュールタイミング制御に係る処理の流れを示したフローチャート。
【図９】タイミング制御が実行された場合における各部の状態変化を示すタイミングチャート。
【発明を実施するための形態】
【００２９】
以下、図面を参照しながら、本発明の一実施形態に係る空調システム１００について説明する。なお、以下の実施形態は、本発明の具体例であって、本発明の技術的範囲を限定するものではなく、発明の要旨を逸脱しない範囲で適宜変更が可能である。
【００３０】
（１）空調システム１００
図１は、空調システム１００の概略構成図である。空調システム１００は、冷媒配管方式の空調システムであって、蒸気圧縮方式の冷凍サイクル運転を行うことで、対象空間の空気調和を実現する。空調システム１００は、運転モードとして、冷房モード及び暖房モード等を有しており、選択された運転モードに応じて冷房運転又は暖房運転等を行う。
【００３１】
空調システム１００は、主として、室外ユニット１０と、室内ユニット２０とを備えている。空調システム１００においては、室外ユニット１０と室内ユニット２０とが冷媒配管ＲＰで接続されることで冷媒回路が構成されている。
【００３２】
（１−１）室外ユニット１０
室外ユニット１０は、ベランダや地下室等の室外に設置される。室外ユニット１０は、その内部に、主として、圧縮機１１、四路切換弁１２、室外熱交換器１３、膨張弁１４、室外ファン１５及び室外制御部１６等を有している。
【００３３】
圧縮機１１は、低圧のガス冷媒を吸入し、圧縮して吐出する機構である。圧縮機１１は、圧縮機用モータを内蔵する密閉式の構造を有しており、例えばスクロール方式やロータリ方式などの容積式の圧縮機である。
【００３４】
四路切換弁１２は、運転モードに応じて、冷媒の流れる方向を切り換えるための弁である。室外熱交換器１３は、冷房運転時には冷媒の凝縮器として機能し、暖房運転時には冷媒の蒸発器として機能する熱交換器である。
【００３５】
膨張弁１４は、例えば運転状況に応じて開度が調整される電動弁であり、高圧の冷媒を減圧する。
【００３６】
室外ファン１５は、外部から室外ユニット１０内に流入し室外熱交換器１３を通過してから室外ユニット１０外へ流出する空気流を生成する。室外ファン１５は、例えばプロペラファンであり、モータに所定の電圧を供給されることにより駆動する。
【００３７】
室外制御部１６は、ＣＰＵやメモリ等で構成されるマイクロコンピュータや通信回路を含み、基板に実装されている。室外制御部１６は、室外ユニット１０内の機器の動作を制御する。例えば、室外制御部１６は、圧縮機１１の回転数、室外ファン１５の回転数、又は四路切換弁１２及び膨張弁１４等の動作を状況に応じて制御する。室外制御部１６は、配線１０１を介して室内制御部２３（後述）と接続されており、相互に信号の送受信を行っている。室外制御部１６は、室内制御部２３から所定の信号を受信すると、当該信号に対応する処理を行う。
【００３８】
また、室外制御部１６においては、ループ状の電流経路上に複数の通信モジュールが配設された通信システム３０が構築されている。各通信モジュール間では電流を用いたいわゆるカレントループ通信により信号の送受信が行われる。通信システム３０の詳細については、後述の「（２）通信システム３０の詳細」において説明する。
【００３９】
（１−２）室内ユニット２０
室内ユニット２０は、例えば、いわゆる天井埋込み型、天井吊下げ型又は壁掛け型の室内機である。室内ユニット２０は、その内部に、室内熱交換器２１、室内ファン２２及び室内制御部２３等を有している。
【００４０】
室内熱交換器２１は、冷房運転時には冷媒の蒸発器として機能し、暖房運転時には冷媒の凝縮器として機能する。室内ファン２２は、室内ユニット２０内に流入して室内熱交換器２１を通過した後に室内ユニット２０外に流出する空気流を生成する送風機である。
【００４１】
室内制御部２３は、ＣＰＵやメモリ等で構成されるマイクロコンピュータや通信回路を含む。室内制御部２３は、リモコン（図示省略）を介してユーザに指示を入力される。室内制御部２３は、リモコン又は室外制御部１６から所定の信号を受信すると、当該信号に対応する処理を行う。
【００４２】
（２）通信システム３０の詳細
図２は、通信システム３０の概略構成図である。通信システム３０は、複数の通信モジュールが接続ラインで電気的に接続されることで構成されている。具体的に、通信システム３０は、通信モジュールとして、主モジュール３１と、複数の副モジュール３２（より詳細には第１副モジュール３３及び第２副モジュール３４）とを含んでいる。
【００４３】
（２−１）主モジュール３１
図３は、主モジュール３１の概略構成図である。主モジュール３１は、室内制御部２３と、配線１０１で接続されている。また、主モジュール３１は、第１副モジュール３３と、接続ラインとしての第１配線１ａ及び第２配線２ａを介して電気的に接続されている。主モジュール３１は、室内制御部２３及び各副モジュール３２と、相互に信号の送受信を行い、受信した信号に応じて所定の処理を行う。
【００４４】
主モジュール３１は、出力端子３１１（特許請求の範囲記載の「主モジュール出力端子」に相当）を有している。出力端子３１１には、第１配線１ａが接続されている。また、主モジュール３１は、入力端子３１２を有している。入力端子３１２には、第２配線２ａが接続されている。
【００４５】
主モジュール３１には、主として、ループ電流供給ラインＬＳと、第１通信ラインＬＣ１と、第１グランドラインＬＧ１と、第１電源供給ラインＬＰ１と、主モジュール出力ラインＬａと、主制御部駆動用電源供給ラインＬＰａと、主制御部４１と、が配設されている。
【００４６】
（２−１−１）ループ電流供給ラインＬＳ
ループ電流供給ラインＬＳは、カレントループ通信用のループ電流Ｉａ（特許請求の範囲記載の「カレントループ通信用電流」に相当）を生成して供給するラインである。ループ電流供給ラインＬＳは、第１電源部１１０及び定電流源４２と、両者を電気的に接続する配線と、を含む。第１電源部１１０（特許請求の範囲記載の「第２電源」に相当）は、定電流源４２に所定の電源Ｖ１を供給する。定電流源４２（特許請求の範囲記載の「カレントループ通信用電流源」に相当）は、第１電源部１１０から電源Ｖ１を供給されると定電流であるループ電流Ｉａを生成して、第１通信ラインＬＣ１側へ出力する機能部である。
【００４７】
（２−１−２）第１通信ラインＬＣ１
第１通信ラインＬＣ１（特許請求の範囲記載の「通信ライン」に相当）は、一端が定電流源４２に接続されておりループ電流Ｉａが流れる配線である。第１通信ラインＬＣ１の他端は、第２接続端子Ｊ２に接続されている。換言すると、第１通信ラインＬＣ１は、主モジュール出力ラインＬａを介して出力端子３１１に接続されている。第１通信ラインＬＣ１は、より詳細には、電流源接続配線１１１と、信号伝送線１１２と、を含んでいる。
【００４８】
電流源接続配線１１１は、一端が定電流源４２に接続されており、他端が第１接続端子Ｊ１に接続されている。電流源接続配線１１１上には、第１抵抗４３が配置されている。
【００４９】
信号伝送線１１２は、カレントループ通信用のループ電流Ｉａを出力端子３１１側へ送るための配線である。信号伝送線１１２は、一端が第１接続端子Ｊ１に接続され、他端が第２接続端子Ｊ２に接続されている。信号伝送線１１２上には、第１受信部４４と、第１送信部４５とが配置されている。
【００５０】
第１受信部４４は、第１通信ラインＬＣ１に出力された信号を主制御部４１が受信するためのインターフェースである。第１受信部４４は、第１接続端子Ｊ１と第１送信部４５の間に配置される。具体的に、第１受信部４４は、第１フォトカプラ４４ａと受信回路４４ｂとを含む。
【００５１】
第１フォトカプラ４４ａは、発光ダイオード４４１及びフォトトランジスタ４４２を有する。第１フォトカプラ４４ａは、発光ダイオード４４１に電流信号が入力されたことに応じて、電流変化を有する電流信号をフォトトランジスタ４４２から受信回路４４ｂに対して出力する。発光ダイオード４４１のアノード端子及びカソード端子は、信号伝送線１１２に電気的に接続されており、信号伝送線１１２に供給されるループ電流Ｉａの電流量に応じて発光量が変化する。フォトトランジスタ４４２のコネクタ端子及びエミッタ端子は受信回路４４ｂと電気的に接続されている。フォトトランジスタ４４２においては、発光ダイオード４４１の発光量に応じてコレクタ端子とエミッタ端子との間に流れるコレクタ電流の振幅が変化する。
【００５２】
受信回路４４ｂは、フォトトランジスタ４４２及び主制御部４１と電気的に接続されている。受信回路４４ｂは、第１フォトカプラ４４ａから出力された電流信号を所定の信号（例えば電圧信号等）に変換して、主制御部４１に出力する。
【００５３】
第１送信部４５は、主制御部４１が第１通信ラインＬＣ１に信号を送出するためのインターフェースである。第１送信部４５は、第１受信部４４と第２接続端子Ｊ２との間に配置される。具体的に、第１送信部４５は、第２フォトカプラ４５ａと送信回路４５ｂとを含む。
【００５４】
第２フォトカプラ４５ａ（特許請求の範囲記載の「第１スイッチ」に相当）は、発光ダイオード４５１及びフォトトランジスタ４５２を有している。第２フォトカプラ４５ａは、発光ダイオード４５１に電流信号が入力されたことに応じて、電流変化を有する電流信号をフォトトランジスタ４５２から第１通信ラインＬＣ１に送出する。発光ダイオード４５１のアノード端子及びカソード端子は、送信回路４５ｂと電気的に接続されており、主制御部４１によって発光量を制御される。フォトトランジスタ４５２のコネクタ端子及びエミッタ端子は信号伝送線１１２に電気的に接続されている。フォトトランジスタ４５２は、発光ダイオード４５１の発光量に応じてコレクタ端子とエミッタ端子との間に流れるコレクタ電流の振幅を調整される。
【００５５】
なお、以下の説明においては、フォトトランジスタ４５２のコレクタ端子及びエミッタ端子間が導通している状態を第２フォトカプラ４５ａの「オン状態」とし、フォトトランジスタ４５２のコレクタ端子及びエミッタ端子間が導通していない状態を第２フォトカプラ４５ａの「オフ状態」とする。
【００５６】
送信回路４５ｂは、発光ダイオード４５１及び主制御部４１と電気的に接続されており、主制御部４１からの制御信号に基づき発光ダイオード４５１に流れる電流量を調整する回路である。
【００５７】
ここで、第１送信部４５では、主制御部４１により第２フォトカプラ４５ａの動作が制御される。また、第２フォトカプラ４５ａがオン状態にある場合には第１通信ラインＬＣ１が導通し、第２フォトカプラ４５ａがオフ状態にある場合には第１通信ラインＬＣ１が遮断される。すなわち、第２フォトカプラ４５ａは、主制御部４１によって動作を制御され、第１通信ラインＬＣ１の導通及び遮断を切り換えるスイッチとしても機能する。
【００５８】
（２−１−３）第１グランドラインＬＧ１
第１グランドラインＬＧ１は、副モジュール３２を流れたループ電流Ｉａが流れるグランド側の配線である。第１グランドラインＬＧ１は、一端が入力端子３１２に接続されており、二手に分岐した他端の一方がグランドに接続され他方が第１接続端子Ｊ１に接続されている。第１グランドラインＬＧ１上には、ツェナーダイオード４６が配置されている。
【００５９】
ツェナーダイオード４６は、グランドと第１接続端子Ｊ１との間において、アノード端子がグランド側に接続され、カソード端子が第１接続端子Ｊ１側に接続されている。ツェナーダイオード４６は、電流源接続配線１１１からループ電流Ｉａが供給されている場合において、第１グランドラインＬＧ１にループ電流Ｉａが流れないときには、ループ電流Ｉａがグランドに流れる経路を形成する。
【００６０】
（２−１−４）第１電源供給ラインＬＰ１
第１電源供給ラインＬＰ１は、直流電源Ｖ２（以下、「電源Ｖ２」と記載）を生成して副モジュール３２に供給するためのラインである。第１電源供給ラインＬＰ１は、主として、第２電源部１２０と、切換部４７と、電流検出部４８と、電源配線１２１と、中継配線１２２とを含んでいる。
【００６１】
第２電源部１２０（特許請求の範囲記載の「第１電源」に相当）は、電源Ｖ２（特許請求の範囲記載の「副モジュール駆動用電源」に相当）を供給する。なお、電源Ｖ２の電圧は、電源Ｖ１の電圧よりも高い。第２電源部１２０は、電源配線１２１を介して切換部４７と接続されている。
【００６２】
切換部４７は、第１電源供給ラインＬＰ１の導通及び遮断を切り換えるスイッチの役割を担っている。切換部４７は、例えばＭＯＳＦＥＴ（Metal-Oxide-Semiconductor Field-Effect Transistor）等の半導体スイッチである。切換部４７は、中継配線１２２を介して、電流検出部４８及び第２接続端子Ｊ２に接続されている。
【００６３】
切換部４７は、主制御部４１と電気的に接続されており、主制御部４１により駆動電圧Ｖｓｗを供給又は供給停止されて動作を制御される。具体的に、切換部４７は、ゲート端子に所定の駆動電圧Ｖｓｗを供給されることによって、オン状態に切り換えられ、第１電源供給ラインＬＰ１を導通させる。また、切換部４７は、ゲート端子への駆動電圧Ｖｓｗの供給を停止されることによって、オフ状態に切り換えられ、第１電源供給ラインＬＰ１を遮断させる。
【００６４】
ここで、切換部４７がオン状態となることによって第１電源供給ラインＬＰ１が導通する場合、第２電源部１２０から供給される電源Ｖ２が第２接続端子Ｊ２側へ送られる。一方で、切換部４７がオフ状態となることによって第１電源供給ラインＬＰ１が遮断する場合、第２電源部１２０から供給される電源Ｖ２が第２接続端子Ｊ２側へ送られない。すなわち、切換部４７は、主制御部４１からの指令に応じて電源Ｖ２を生成する「電源生成部」として機能する。
【００６５】
電流検出部４８は、中継配線１２２上に配置されている。電流検出部４８は、第１電源供給ラインＬＰ１を流れる電流の電流値を検出するための機能部であり、主制御部４１と電気的に接続されている。電流検出部４８は、中継配線１２２に直列に接続されるシャント抵抗と、シャント抵抗の両端の電圧を所定の倍率で増幅させて主制御部４１に出力するオペアンプ等を含む（図示省略）。切換部４７がオン状態となることで第１電源供給ラインＬＰ１に電源Ｖ２が供給されて、電源Ｖ２に伴う電流が第１電源供給ラインＬＰ１上を流れると、電流検出部４８は、電流値を検出して主制御部４１に出力する。
【００６６】
電源配線１２１は、一端が第２電源部１２０に接続され、他端が切換部４７に接続される配線である。
【００６７】
中継配線１２２（特許請求の範囲記載の「電源供給ライン」に相当）は、一端が切換部４７に接続され、他端が第２接続端子Ｊ２に接続される配線である。換言すると、中継配線１２２は、第２接続端子Ｊ２及び主モジュール出力ラインＬａを介して出力端子３１１に接続されているともいえる。中継配線１２２は、切換部４７がオン状態となった場合に、電源Ｖ２を第２接続端子Ｊ２側へ供給する。
【００６８】
（２−１−５）主モジュール出力ラインＬａ
主モジュール出力ラインＬａは、一端を第２接続端子Ｊ２に接続され他端を出力端子３１１に接続された配線である。主モジュール出力ラインＬａには、状況に応じ、第１通信ラインＬＣ１からループ電流Ｉａが供給され、また第１電源供給ラインＬＰ１から電源Ｖ２が供給される。
【００６９】
（２−１−６）主制御部駆動用電源供給ラインＬＰａ
主制御部駆動用電源供給ラインＬＰａは、主制御部４１に駆動用の直流電源Ｖ３（以下、「電源Ｖ３」と称する）を供給するラインである。主制御部駆動用電源供給ラインＬＰａは、主として、第３電源部１３０と、第３電源配線１３１とを含む。第３電源部１３０は、電源Ｖ３を供給する。第３電源部１３０は、第３電源配線１３１を介して主制御部４１と接続されている。
【００７０】
（２−１−７）主制御部４１
主制御部４１（特許請求の範囲記載の「主モジュール制御部」に相当）は、通信システム３０を統括的に制御するマイコンである。主制御部４１は、主制御部駆動用電源供給ラインＬＰａを介して電源Ｖ３を供給される。主制御部４１に電源Ｖ３が供給されると、通信システム３０が起動する。
【００７１】
主制御部４１は、配線１０１を介して室内制御部２３と接続されており、室内制御部２３と相互に信号の送受信を行う。また、主制御部４１は、第１通信ラインＬＣ１に送信された信号を、第１受信部４４を介して受信する。主制御部４１は、第１送信部４５を介して第１通信ラインＬＣ１に信号を送信する。
【００７２】
また、主制御部４１は、状況に応じて、第２フォトカプラ４５ａの状態を切り換えて、第１通信ラインＬＣ１の導通及び遮断を切り換える。また、主制御部４１は、状況に応じて、切換部４７に対して駆動電圧Ｖｓｗの供給又は遮断を行うことで切換部４７の状態を制御し、第１電源供給ラインＬＰ１の導通及び遮断を切り換える。
【００７３】
主制御部４１の詳細については後述の「（３）主制御部４１の詳細」において説明する。
【００７４】
（２−２）副モジュール３２
通信システム３０では、副モジュール３２として、第１副モジュール３３及び第２副モジュール３４を有している。第１副モジュール３３及び第２副モジュール３４は、略同一に構成され、副制御部５０（後述）の電源負荷についても同一である。
【００７５】
図４は、副モジュール３２の概略構成図である。副モジュール３２は、アクチュエータである圧縮機１１（又は室外ファン１５）と、配線１６１（又は１６２）を介して接続されている。
【００７６】
副モジュール３２は、第１配線１ａ（又は第３配線３ａ）に接続される第１入力端子３２１（特許請求の範囲記載の「副モジュール入力端子」に相当）と、第４配線４ａ（又は第５配線５ａ）に接続される第２入力端子３２２と、を有している。また、副モジュール３２は、第３配線３ａ（又は第５配線５ａ）に接続される第１出力端子３２３と、第２配線２ａ（又は第４配線４ａ）に接続される第２出力端子３２４と、を有している。副モジュール３２は、主モジュール３１及び他の副モジュール３２と、相互に信号の送受信を行い、受信した信号に応じて所定の処理を行う。
【００７７】
第１副モジュール３３は、接続ラインとしての第１配線１ａ及び第２配線２ａを介して主モジュール３１と電気的に接続され、接続ラインとしての第３配線３ａ及び第４配線４ａを介して第２副モジュール３４と電気的に接続されている。第１副モジュール３３は、配線１６１を介して圧縮機１１と接続されており、状況に応じて圧縮機１１の発停及び回転数を制御する。
【００７８】
第２副モジュール３４は、接続ラインとしての第３配線３ａ及び第４配線４ａを介して第１副モジュール３３と電気的に接続されている。なお、第２副モジュール３４においては、第１出力端子３２３と第２入力端子３２２とが第５配線５ａで接続されている。第２副モジュール３４は、配線１６２を介して室外ファン１５と接続されており、状況に応じて室外ファン１５の発停及び回転数を制御する。
【００７９】
また、副モジュール３２には、主として、入力ラインＬｂと、第２通信ラインＬＣ２と、第２グランドラインＬＧ２と、第２電源供給ラインＬＰ２と、第１分岐ラインＬＤ１と、第２分岐ラインＬＤ２と、副モジュール出力ラインＬｃと、第３電源供給ラインＬＰ３と、レベルシフタ５６と、副制御部電源供給ラインＬＰ４と、副制御部５０と、が配設されている。
【００８０】
（２−２−１）入力ラインＬｂ
入力ラインＬｂは、一端を第１入力端子３２１に接続され他端を第３接続端子Ｊ３に接続された配線である。入力ラインＬｂには、状況に応じ、第１配線１ａ（又は第３配線３ａ）を介してループ電流Ｉａ又は電源Ｖ２が供給される。
【００８１】
（２−２−２）第２通信ラインＬＣ２
第２通信ラインＬＣ２（特許請求の範囲記載の「副モジュール通信ライン」に相当）は、入力ラインＬｂから送られたループ電流Ｉａが流れる配線である。第２通信ラインＬＣ２の一端は、第３接続端子Ｊ３に接続されている。換言すると、第２通信ラインＬＣ２は、第３接続端子Ｊ３及び入力ラインＬｂを介して、第１入力端子３２１に接続されているともいえる。第２通信ラインＬＣ２の他端は、第４接続端子Ｊ４に接続されている。第２通信ラインＬＣ２上には、第２受信部５１と、第２送信部５２とが配置されている。
【００８２】
第２受信部５１は、副制御部５０が第２通信ラインＬＣ２に出力された信号を受信して副制御部５０へ伝達するためのインターフェースである。第２受信部５１は、第３接続端子Ｊ３と第２送信部５２の間に配置される。具体的に、第２受信部５１は、第３フォトカプラ５１ａと受信回路５１ｂとを含む。
【００８３】
第３フォトカプラ５１ａは、発光ダイオード５１１及びフォトトランジスタ５１２を有する。第３フォトカプラ５１ａは、発光ダイオード５１１に電流信号が入力されたことに応じて、電流変化を有する電流信号をフォトトランジスタ５１２から受信回路５１ｂに対して出力する。発光ダイオード５１１のアノード端子及びカソード端子は、第２通信ラインＬＣ２に電気的に接続されており、第２通信ラインＬＣ２に供給されるループ電流Ｉａの電流量に応じて発光量が変化する。フォトトランジスタ５１２のコネクタ端子及びエミッタ端子は受信回路５１ｂと電気的に接続されている。フォトトランジスタ５１２においては、発光ダイオード５１１の発光量に応じてコレクタ端子とエミッタ端子との間に流れるコレクタ電流の振幅が変化する。
【００８４】
受信回路５１ｂは、フォトトランジスタ５１２及び副制御部５０と電気的に接続されている。受信回路５１ｂは、第３フォトカプラ５１ａから出力された電流信号を所定の信号（例えば電圧信号等）に変換して、副制御部５０に出力する。
【００８５】
第２送信部５２は、副制御部５０が出力した信号を第２通信ラインＬＣ２に送出するためのインターフェースである。第２送信部５２は、第２受信部５１と第４接続端子Ｊ４との間に配置される。具体的に、第２送信部５２は、第４フォトカプラ５２ａと送信回路５２ｂとを含む。
【００８６】
第４フォトカプラ５２ａは、発光ダイオード５２１及びフォトトランジスタ５２２を有しており、発光ダイオード５２１に電流信号が入力されたことに応じて、電流変化を有する電流信号をフォトトランジスタ５２２から第２通信ラインＬＣ２に送出する。発光ダイオード５２１のアノード端子及びカソード端子は、送信回路５２ｂと電気的に接続されており、副制御部５０によって発光量を制御される。フォトトランジスタ５２２のコネクタ端子及びエミッタ端子は第２通信ラインＬＣ２に電気的に接続されている。フォトトランジスタ５２２は、発光ダイオード５２１の発光量に応じてコレクタ端子とエミッタ端子との間に流れるコレクタ電流の振幅を調整される。
【００８７】
なお、以下の説明においては、フォトトランジスタ５２２のコレクタ端子及びエミッタ端子間が導通している状態を第４フォトカプラ５２ａの「オン状態」とし、フォトトランジスタ５２２のコレクタ端子及びエミッタ端子間が導通していない状態を第４フォトカプラ５２ａの「オフ状態」とする。
【００８８】
送信回路５２ｂは、発光ダイオード５２１及び副制御部５０と電気的に接続されており、副制御部５０からの制御信号に基づき発光ダイオード５２１に流れる電流量を調整する回路である。
【００８９】
（２−２−３）第２グランドラインＬＧ２
第２グランドラインＬＧ２は、第２通信ラインＬＣ２を流れたループ電流Ｉａが流れるグランド側の配線である。第２グランドラインＬＧ２は、一端が第２入力端子３２２に接続されており、他端が第２出力端子３２４に接続されている。
【００９０】
（２−２−４）第２電源供給ラインＬＰ２
第２電源供給ラインＬＰ２（特許請求の範囲記載の「副モジュール電源供給ライン」に相当）は、入力ラインＬｂから電源Ｖ２を送られる配線である。第２電源供給ラインＬＰ２の一端は、第３接続端子Ｊ３に接続されている。換言すると、第２電源供給ラインＬＰ２は、第３接続端子Ｊ３及び入力ラインＬｂを介して、第１入力端子３２１に接続されているともいえる。第２電源供給ラインＬＰ２の他端は、第４接続端子Ｊ４に接続されている。なお、第２電源供給ラインＬＰ２は、第２通信ラインＬＣ２よりも抵抗値（又はインピーダンス）が低い。
【００９１】
第２電源供給ラインＬＰ２には、第３電源供給ラインＬＰ３に接続される第５接続端子Ｊ５と、第１分岐ラインＬＤ１に接続される第６接続端子Ｊ６と、第２分岐ラインＬＤ２に接続される第７接続端子Ｊ７と、が配設されている。第５接続端子Ｊ５は、第３接続端子Ｊ３と第６接続端子Ｊ６の間に位置する。第６接続端子Ｊ６は、第５接続端子Ｊ５と第７接続端子Ｊ７の間に位置する。第７接続端子Ｊ７は、第６接続端子Ｊ６と第４接続端子Ｊ４の間に位置する。
【００９２】
また、第２電源供給ラインＬＰ２は、第６接続端子Ｊ６と第７接続端子Ｊ７の間においてトランジスタ５３を配設されている。トランジスタ５３のベースは、第１分岐ラインＬＤ１に接続されている。第１分岐ラインＬＤ１を介してベース電流を供給されると、トランジスタ５３のコレクタ及びエミッタ間が導通する。トランジスタ５３のコレクタ及びエミッタ間が導通すると、第３接続端子Ｊ３、第５接続端子Ｊ５、第６接続端子Ｊ６、トランジスタ５３、第７接続端子Ｊ７という順序で電源Ｖ２が送られる経路が形成される。
【００９３】
（２−２−５）第１分岐ラインＬＤ１
第１分岐ラインＬＤ１は、一端が第６接続端子Ｊ６に接続され他端がトランジスタ５３のベース端子に接続される配線である。第１分岐ラインＬＤ１には、第２抵抗５４と、第１０接続端子Ｊ１０とが配設されている。第２抵抗５４は、第６接続端子Ｊ６及び第１０接続端子Ｊ１０の間に位置する。第１０接続端子Ｊ１０は、第２抵抗５４とトランジスタ５３の間に位置する。このような第１分岐ラインＬＤ１にベース電流が流れることで、トランジスタ５３がオン状態となって第２電源供給ラインＬＰ２が導通する。
【００９４】
（２−２−６）第２分岐ラインＬＤ２
第２分岐ラインＬＤ２（特許請求の範囲記載の「高負荷回路」に相当）は、一端が第１０接続端子Ｊ１０に接続され他端が第７接続端子Ｊ７に接続される配線である。換言すると、第２分岐ラインＬＤ２は、第１分岐ラインＬＤ１及び第７接続端子Ｊ７を介して、第２電源供給ラインＬＰ２に電気的に接続されているともいえる。第２分岐ラインＬＤ２には、フォトカプラ５５が配設されている。
【００９５】
フォトカプラ５５（特許請求の範囲記載の「第２スイッチ」に相当）は、フォトトランジスタ５５１と、発光ダイオード５５２を含む。フォトトランジスタ５５１は、第２分岐ラインＬＤ２上に配置されている。フォトトランジスタ５５１は、発光ダイオード５５２の発光量に応じてコレクタ及びエミッタ間を導通させる。発光ダイオード５５２は、副制御部５０に電気的に接続されており、副制御部５０によって発光量を制御される。
【００９６】
なお、以下の説明においては、フォトトランジスタ５５１のコレクタ及びエミッタ間が導通している状態をフォトカプラ５５の「オン状態」とし、フォトトランジスタ５５１のコレクタ及びエミッタ間が導通していない状態をフォトカプラ５５の「オフ状態」とする。
【００９７】
フォトカプラ５５がオン状態となると、第２分岐ラインＬＤ２が導通する。すなわち、フォトカプラ５５は、第２分岐ラインＬＤ２の導通及び遮断を切り換えるスイッチとして機能する。第２分岐ラインＬＤ２が導通すると、第６接続端子Ｊ６、第２抵抗５４、第１０接続端子Ｊ１０、フォトトランジスタ５５１、第７接続端子Ｊ７という流れの経路（以下、当該経路を「第２経路」と称する）が形成される。
【００９８】
入力ラインＬｂにループ電流Ｉａが供給されている状態において、第２経路が形成されると、第３接続端子Ｊ３に到達したループ電流Ｉａは、主として、第２電源供給ラインＬＰ２側ではなく第２通信ラインＬＣ２を流れる。これは、第２経路が形成されることで、第２電源供給ラインＬＰ２側において、第２抵抗５４に相当する分の抵抗値（又はインピーダンス）が増加するからである。すなわち、第２分岐ラインＬＤ２は、導通すると第２電源供給ラインＬＰ２の抵抗値（又はインピーダンス）を高める役割を果たす。
【００９９】
（２−２−７）副モジュール出力ラインＬｃ
副モジュール出力ラインＬｃは、一端が第４接続端子Ｊ４に接続され他端が第１出力端子３２３に接続された配線である。副モジュール出力ラインＬｃには、状況に応じ、第２通信ラインＬＣ２からループ電流Ｉａが供給され、また第２電源供給ラインＬＰ２から電源Ｖ２が供給される。
【０１００】
（２−２−８）第３電源供給ラインＬＰ３
第３電源供給ラインＬＰ３は、一端が第５接続端子Ｊ５に接続され他端がレベルシフタ５６に接続される配線である。第３電源供給ラインＬＰ３には、第２電源供給ラインＬＰ２から電源Ｖ２が送られる。
【０１０１】
（２−２−９）レベルシフタ５６
レベルシフタ５６は、絶縁タイプの電源トランスであり、例えばＤＣ−ＤＣコンバータなどが採用される。レベルシフタ５６は、第３電源供給ラインＬＰ３及び副制御部電源供給ラインＬＰ４の間に配置されている。レベルシフタ５６は、一次側が第３電源供給ラインＬＰ３を介して第２電源供給ラインＬＰ２に電気的に接続されており、二次側が副制御部電源供給ラインＬＰ４を介して副制御部５０に電気的に接続されている。レベルシフタ５６は、第３電源供給ラインＬＰ３から供給された電源Ｖ２を所定の電圧に変圧して、副制御部５０の駆動用電源Ｖ４（以下、単に「電源Ｖ４」と記載）を生成する。生成された電源Ｖ４は、副制御部電源供給ラインＬＰ４に送られる。
【０１０２】
（２−２−１０）副制御部電源供給ラインＬＰ４
副制御部電源供給ラインＬＰ４は、一端がレベルシフタ５６に接続され他端が副制御部５０に接続される配線である。副制御部電源供給ラインＬＰ４は、レベルシフタ５６から送られる電源Ｖ２を副制御部５０に供給する。
【０１０３】
副制御部電源供給ラインＬＰ４には、第８接続端子Ｊ８及び第９接続端子Ｊ９と、充電部５７が配設されている。具体的に、副制御部電源供給ラインＬＰ４は第８接続端子Ｊ８から二手に分岐しており、分岐した一方は第９接続端子Ｊ９に接続され、他方は充電部５７の正側に接続されている。第９接続端子Ｊ９は、第８接続端子Ｊ８と副制御部５０の間に設けられている。第９接続端子Ｊ９は、充電部５７の負側と接続されている。
【０１０４】
充電部５７は、レベルシフタ５６の二次側に位置している。充電部５７は、所定の静電容量を有するコンデンサを含み、副制御部電源供給ラインＬＰ４に出力された電源Ｖ４を充電する。充電部５７は、副制御部電源供給ラインＬＰ４にレベルシフタ５６から電源Ｖ４が出力されていない場合には、充電した電源Ｖ４を放電する。充電部５７は副制御部５０と電気的に接続されており、充電部５７から放電された電源Ｖ４は副制御部５０に供給される。
【０１０５】
（２−２−１１）副制御部５０
副制御部５０（特許請求の範囲記載の「副モジュール制御部」に相当）は、圧縮機１１又は室外ファン１５等のアクチュエータの動作を制御するマイコンである。副制御部５０は、副制御部電源供給ラインＬＰ４を介してレベルシフタ５６から電源Ｖ４を供給される。
【０１０６】
副制御部５０は、配線１６１（又は１６２）を介してアクチュエータと接続されている。また、副制御部５０は、第２通信ラインＬＣ２に送信された信号を、第２受信部５１を介して受信する。副制御部５０は、第２送信部５２を介して第２通信ラインＬＣ２に信号を送信する。また、副制御部５０は、フォトカプラ５５を介して第２分岐ラインＬＤ２の導通及び遮断を切り換える。
【０１０７】
副制御部５０の詳細については後述の「（４）副制御部５０の詳細」において説明する。
【０１０８】
（３）主制御部４１の詳細
図５は、主制御部４１の概略構成図である。主制御部４１は、主として、第１記憶部６１と、通信部６２と、切換制御部６３と、第１通信制御部６４と、第２通信制御部６５と、主モジュールライン制御部６６と、を含む。
【０１０９】
（３−１）第１記憶部６１
第１記憶部６１は、ＲＯＭやＲＡＭ等のメモリを含み、揮発性の記憶領域と不揮発性の記憶領域とを有している。第１記憶部６１は、主制御部４１内の各部において適用される制御プログラムを保持している。
【０１１０】
また、第１記憶部６１は、いわゆるワーキングメモリとしても機能し、各部からの信号を所定の領域に格納される。なお、電流検出部４８から出力される電流値の検出結果は、第１記憶部６１に適宜格納される。
【０１１１】
（３−２）通信部６２
通信部６２は、配線１０１に接続された通信回路ユニットである。通信部６２は、配線１０１を介して室内制御部２３から出力された信号を受信する受信回路と、室内制御部２３へ信号を送信する送信回路とを含む（図示省略）。
【０１１２】
（３−３）切換制御部６３
切換制御部６３は、切換部４７に対する駆動電圧Ｖｓｗを供給又は遮断することで、切換部４７の状態を制御する。切換制御部６３は、主制御部４１に電源Ｖ３が投入されると、切換部４７に対して駆動電圧Ｖｓｗを供給する。これにより、切換部４７はオン状態に切り換わり、第１電源供給ラインＬＰ１が導通する。
【０１１３】
また、切換制御部６３は、第１記憶部６１に格納された電流検出部４８の検出結果を、所定の周期で取得する。切換制御部６３は、取得した検出結果から第１電源供給ラインＬＰ１上を流れる電流の電流値が所定の基準値以上か否かを判定する。当該判定において電流値が所定の基準値以上であった時には、切換制御部６３は、駆動電圧Ｖｓｗの供給を停止する。これにより、切換部４７はオフ状態に切り換わり、第１電源供給ラインＬＰ１が遮断する。その後、電流値が所定の基準値未満となった時には、切換制御部６３は、駆動電圧Ｖｓｗの供給を再開する。その際、切換制御部６３は、駆動電圧Ｖｓｗの供給を再開した旨の情報（以下、当該情報を「駆動電圧供給再開情報」と称する）を第１記憶部６１に格納する。
【０１１４】
なお、当該処理において用いられる基準値は、通信システム３０の保安性を維持するべく、所定の値に設定される。すなわち、電源電圧の変動が起こりやすい地域で通信システム３０が使用される場合においては、電源Ｖ２の電圧上昇時に、第１電源供給ラインＬＰ１及び副モジュール３２内に過電流が流れて、通信システム３０（特に副モジュール３２）内の各機器が故障するおそれがある。このような事態を避け保安性を確保するべく、切換制御部６３は、予め設定された基準値に基づき、過電流が流れたと想定される場合には、第１電源供給ラインＬＰ１を遮断する処理を行っている。
【０１１５】
また、切換制御部６３は、主モジュールライン制御部６６から所定の信号（以下、当該信号を「切換部オフ信号」と称する）を出力されている期間は、駆動電圧Ｖｓｗの供給を停止する。これにより、切換部４７はオフ状態に切り換わり、第１電源供給ラインＬＰ１が遮断する。
【０１１６】
（３−４）第１通信制御部６４
第１通信制御部６４は、室内制御部２３との通信を統括的に制御する。第１通信制御部６４は、室内制御部２３から通信部６２を介して信号を受信すると、第１記憶部６１の所定の記憶領域に格納する。また、第１通信制御部６４は、必要に応じて信号を生成し、通信部６２を介して室内制御部２３に送信する。
【０１１７】
（３−５）第２通信制御部６５
第２通信制御部６５は、他の通信モジュールとの通信を統括的に制御する。第２通信制御部６５は、第１受信部４４を介して他の通信モジュールから送信された信号を受信すると、第１記憶部６１の所定の記憶領域に格納する。また、第２通信制御部６５は、第１記憶部６１に所定の信号が格納されると、必要に応じて送信信号を生成する。第２通信制御部６５は、生成した送信信号を、通信ラインＬＣが導通している期間（後述の第２期間Ｐ２）において第１送信部４５を介して副制御部５０に送信する。
【０１１８】
（３−６）主モジュールライン制御部６６
主モジュールライン制御部６６（以下、単に「ライン制御部６６」と記載）は、タイマー機能を有しており、時間を計測可能である。
【０１１９】
ライン制御部６６は、主制御部４１に電源Ｖ３が供給された場合、又は第１記憶部６１に駆動電圧供給再開情報が格納された場合には、起動制御を実行する。ライン制御部６６は、起動制御において、主制御部４１に電源Ｖ３が投入されてから所定時間Ｔ１が経過した時に、切換部オフ信号を切換制御部６３に対して出力する。これにより、主制御部４１に電源Ｖ３が投入されてから所定時間Ｔ１が経過すると、導通していた第１電源供給ラインＬＰ１が遮断する。なお、所定時間Ｔ１は、副モジュール３２の充電部５７が充電されるのに十分な時間に設定され、本実施形態では３secに設定される。
【０１２０】
また、ライン制御部６６は、起動処理後、副モジュールライン制御部７４（後述）と同期するための同期処理を行う。
【０１２１】
また、ライン制御部６６は、同期処理において副モジュールライン制御部７４との同期が完了すると、３secを１周期とする主モジュールライン切換制御を繰り返し実行する。ライン制御部６６は、主モジュールライン切換制御において、１周期（３sec）のうち１sec経過するまでの期間（以下、当該期間を「第１期間Ｐ１」と称する）は、切換部４７をオン状態とさせるべく、切換部オフ信号を出力しない。これにより、第１期間Ｐ１においては第１電源供給ラインＬＰ１が導通する。また、ライン制御部６６は、主モジュールライン切換制御において、第１期間Ｐ１経過後の残りの2secが経過するまでの期間（以下、当該期間を「第２期間Ｐ２」と称する）は、切換部４７をオフ状態とさせるべく、切換部オフ信号を出力する。これにより、第２期間Ｐ２においては第１電源供給ラインＬＰ１が遮断する。
【０１２２】
ライン制御部６６が上述のような各制御を実行することにより、通信システム３０では、起動後、所定時間Ｔ１が経過するまでの期間及び第１期間Ｐ１においては主モジュール３１から副モジュール３２へ電源Ｖ２が供給され、第２期間Ｐ２においては主モジュール３１から副モジュール３２へ電源Ｖ２が供給されない。
【０１２３】
なお、以下の説明においては、ライン制御部６６による上記一連の制御をまとめて「主モジュールタイミング制御」と称する。
【０１２４】
（４）副制御部５０の詳細
図６は、副制御部５０の概略構成図である。副制御部５０は、主として、第２記憶部７１と、アクチュエータ制御部７２と、通信制御部７３と、副モジュールライン制御部７４と、を含む。
【０１２５】
（４−１）第２記憶部７１
第２記憶部７１は、ＲＯＭやＲＡＭ等のメモリを含み、揮発性の記憶領域と不揮発性の記憶領域とを有している。第２記憶部７１は、副制御部５０内の各部において適用される制御プログラムを保持している。また、第２記憶部７１は、いわゆるワーキングメモリとしても機能し、各部からの信号を所定の領域に格納される。
【０１２６】
（４−２）アクチュエータ制御部７２
アクチュエータ制御部７２は、所定の状況に応じて、アクチュエータ（圧縮機１１又は室外ファン１５）の発停や回転数をリアルタイムに制御する。
【０１２７】
（４−３）通信制御部７３
通信制御部７３は、他の通信モジュールとの通信を統括的に制御する。通信制御部７３は、第２受信部５１を介して他の通信モジュールから送信された信号を受信すると、第２記憶部７１の所定の記憶領域に格納する。また、通信制御部７３は、第２記憶部７１に所定の信号が格納されると、必要に応じて送信信号を生成する。通信制御部７３は、生成した送信信号を、通信ラインＬＣが導通している期間（第２期間Ｐ２）において第２送信部５２を介して他の通信モジュールに送信する。
【０１２８】
（４−４）副モジュールライン制御部７４
副モジュールライン制御部７４（以下、単に「ライン制御部７４」と記載）は、フォトカプラ５５に対する駆動電圧の供給又は遮断することで、フォトカプラ５５の状態を制御する。ライン制御部７４は、タイマー機能を有しており、時間を計測可能である。
【０１２９】
ライン制御部７４は、副制御部５０に電源Ｖ４が投入されると、所定のタイミングで、第４フォトカプラ５２ａをオン状態に切り換えるとともに、主モジュールライン制御部６６と同期するための同期処理を開始する。
【０１３０】
また、ライン制御部７４は、同期処理において主モジュールライン制御部６６との同期が完了すると、主モジュールライン制御部６６による主モジュールライン切換制御と同様に、３secを１周期とする副モジュールライン切換制御を繰り返し実行する。
【０１３１】
ライン制御部７４は、副モジュールライン切換制御において、第１期間Ｐ１（すなわち、１周期のうち１sec経過するまでの期間）中はフォトカプラ５５をオフ状態に設定し、第２期間Ｐ２（すなわち、１周期のうち第１期間Ｐ１経過後の残りの2secが経過するまでの期間）中はフォトカプラ５５をオン状態に設定する。
【０１３２】
これにより、第１期間Ｐ１においては、第２分岐ラインＬＤ２が遮断されており、第２電源供給ラインＬＰ２の抵抗値（又はインピーダンス）は、第２通信ラインＬＣ２よりも低い状態となる。このため、第１期間Ｐ１において、副モジュール出力ラインＬｃに供給された電源Ｖ２が、主として、第２通信ラインＬＣ２側ではなく第２電源供給ラインＬＰ２側へ送られる。その結果、第１期間Ｐ１においては、第３電源供給ラインＬＰ３に電源Ｖ２が送られ、レベルシフタ５６から電源Ｖ４が副制御部５０に供給されるとともに充電部５７において電源Ｖ４が充電される。
【０１３３】
また、第２期間Ｐ２においては、第２分岐ラインＬＤ２が導通することによって、第２電源供給ラインＬＰ２の抵抗値（又はインピーダンス）が増加して第２通信ラインＬＣ２よりも高い状態となる。このため、入力ラインＬｂに供給されたループ電流Ｉａが、主として、第２電源供給ラインＬＰ２側ではなく第２通信ラインＬＣ２側へ流れる。その結果、第２期間Ｐ２においては、副制御部５０は充電部５７から電源Ｖ２を供給され、また、主制御部４１及び副制御部５０間におけるカレントループ通信が可能となる。
【０１３４】
なお、以下の説明においては、ライン制御部７４による上記一連の制御をまとめて「副モジュールタイミング制御」と称する。また、主モジュールタイミング制御と、副モジュールタイミング制御をまとめて「タイミング制御」と称する。
【０１３５】
（５）主制御部４１及び副制御部５０の処理の流れ
（５−１）主制御部４１の主モジュールタイミング制御に係る処理の流れ
図７は、主モジュールタイミング制御に係る処理の流れを示したフローチャートである。主制御部４１は、電源Ｖ３を供給され起動した場合、又は過電流検知により切換部４７をオフ状態とした後で切換部４７を再度オン状態に切り換えた場合には、主モジュールタイミング制御を実行してステップＳ１０１からステップＳ１１０に示すような処理を行う。
【０１３６】
ステップＳ１０１において、主制御部４１は、切換部４７に駆動電圧Ｖｓｗを供給することで切換部４７をオン状態に切り換えて、第１電源供給ラインＬＰ１を導通させる。その後、ステップＳ１０２へ進む。
【０１３７】
ステップＳ１０２において、主制御部４１は、切換部４７をオン状態に切り換えてから所定時間Ｔ１が経過したか否かを判定する。当該判定がＮＯの場合（すなわち、切換部４７をオン状態に切り換えてから所定時間Ｔ１が経過していない場合）、当該判定を繰り返す。一方、当該判定がＹＥＳの場合（すなわち、切換部４７をオン状態に切り換えてから所定時間Ｔ１が経過した場合）、ステップＳ１０３へ進む。
【０１３８】
ステップＳ１０３において、主制御部４１は、駆動電圧Ｖｓｗの供給を停止することで切換部４７をオフ状態に切り換えて、第１電源供給ラインＬＰ１を遮断させる。また、主制御部４１は、第２フォトカプラ４５ａをオン状態に切り換えて、第１通信ラインＬＣ１を導通させる。その後、ステップＳ１０４へ進む。
【０１３９】
ステップＳ１０４において、主制御部４１は、副制御部５０（副モジュールライン制御部７４）と同期するための同期処理を実行する。その後、ステップＳ１０５へ進む。
【０１４０】
ステップＳ１０５において、主制御部４１は、副制御部５０との同期が完了したか否かを判定する。当該判定がＮＯの場合（すなわち、副制御部５０との同期が完了していない場合）、同期処理及び当該判定を継続する。一方、当該判定がＹＥＳの場合（すなわち、副制御部５０との同期が完了した場合）、ステップＳ１０６へ進む。
【０１４１】
ステップＳ１０６において、主制御部４１は、第２フォトカプラ４５ａをオフ状態に切り換えて、第１通信ラインＬＣ１を遮断させる。また、主制御部４１は、切換部４７をオン状態に切り換えて、第１電源供給ラインＬＰ１を導通させる。その後、ステップＳ１０７へ進む。
【０１４２】
ステップＳ１０７において、主制御部４１は、第１期間Ｐ１が経過したか否か（すなわち、副制御部５０との同期が完了してから１sec経過したか否か、或いは前回の第２期間Ｐ２が経過してから１sec経過したか否か）を判定する。当該判定がＮＯの場合（すなわち、第１期間Ｐ１が経過していない場合）、当該判定を継続する。一方、当該判定がＹＥＳの場合（すなわち、第１期間Ｐ１が経過した場合）、ステップＳ１０８へ進む。
【０１４３】
ステップＳ１０８において、主制御部４１は、切換部４７をオフ状態に切り換えて、第１電源供給ラインＬＰ１を遮断させる。また、主制御部４１は、第２フォトカプラ４５ａをオン状態に切り換えて、第１通信ラインＬＣ１を導通させる。その後、ステップＳ１０９へ進む。
【０１４４】
ステップＳ１０９において、主制御部４１は、副制御部５０との同期が保たれているか否かを判定する。当該判定がＮＯの場合（すなわち、副制御部５０との同期が保持されていない場合）、ステップＳ１０４に戻る。一方、当該判定がＹＥＳの場合（すなわち、副制御部５０との同期が保持されている場合）、ステップＳ１１０へ進む。
【０１４５】
ステップＳ１１０において、主制御部４１は、第２期間Ｐ２が経過したか否か（すなわち、前回の第１期間Ｐ１が経過してから２sec経過したか否か）を判定する。当該判定がＮＯの場合（すなわち、第２期間Ｐ２が経過していない場合）、当該判定を継続する。一方、当該判定がＹＥＳの場合（すなわち、第２期間Ｐ２が経過した場合）、ステップＳ１０６に戻る。
【０１４６】
（５−２）副制御部５０の副モジュールタイミング制御に係る処理の流れ
図８は、副制御部５０の副モジュールタイミング制御に係る処理の流れを示したフローチャートである。副制御部５０は、電源Ｖ４を供給されると、副モジュールタイミング制御を実行して、ステップＳ２０１からステップＳ２０８に示すような処理を行う。
【０１４７】
ステップＳ２０１において、副制御部５０は、第４フォトカプラ５２ａをオン状態に切り換えて、第２通信ラインＬＣ２を導通させる。その後、ステップＳ２０２へ進む。
【０１４８】
ステップＳ２０２において、副制御部５０は、主制御部４１（主モジュールライン制御部６６）と同期するための同期処理を実行する。その後、ステップＳ２０３へ進む。
【０１４９】
ステップＳ２０３において、副制御部５０は、主制御部４１との同期が完了したか否かを判定する。当該判定がＮＯの場合（すなわち、主制御部４１との同期が完了していない場合）、同期処理及び当該判定を継続する。一方、当該判定がＹＥＳの場合（すなわち、主制御部４１との同期が完了した場合）、ステップＳ２０４へ進む。
【０１５０】
ステップＳ２０４において、副制御部５０は、第１期間Ｐ１が経過したか否か（すなわち、主制御部４１との同期が完了してから１sec経過したか否か、或いは前回の第２期間Ｐ２が経過してから１sec経過したか否か）を判定する。当該判定がＮＯの場合（すなわち、第１期間Ｐ１が経過していない場合）、当該判定を継続する。一方、当該判定がＹＥＳの場合（すなわち、第１期間Ｐ１が経過した場合）、ステップＳ２０５へ進む。
【０１５１】
ステップＳ２０５において、副制御部５０は、フォトカプラ５５をオン状態に切り換えて、第２分岐ラインＬＤ２を導通させる。これにより、第２電源供給ラインＬＰ２の抵抗値（又はインピーダンス）が増加して第２通信ラインＬＣ２よりも高くなり、入力ラインＬｂに供給されたループ電流Ｉａが、主として、第２電源供給ラインＬＰ２側ではなく第２通信ラインＬＣ２側へ流れる。その後、ステップＳ２０６へ進む。
【０１５２】
ステップＳ２０６において、副制御部５０は、主制御部４１との同期が保たれているか否かを判定する。当該判定がＮＯの場合（すなわち、主制御部４１との同期が保持されていない場合）、ステップＳ２０２に戻る。一方、当該判定がＹＥＳの場合（すなわち、主制御部４１との同期が保持されている場合）、ステップＳ２０７へ進む。
【０１５３】
ステップＳ２０７において、副制御部５０は、第２期間Ｐ２が経過したか否か（すなわち、前回の第１期間Ｐ１が経過してから２sec経過したか否か）を判定する。当該判定がＮＯの場合（すなわち、第２期間Ｐ２が経過していない場合）、当該判定を継続する。一方、当該判定がＹＥＳの場合（すなわち、第２期間Ｐ２が経過した場合）、ステップＳ２０８へ進む。
【０１５４】
ステップＳ２０８において、副制御部５０は、フォトカプラ５５をオフ状態に切り換えて、第２分岐ラインＬＤ２を遮断させる。これにより、第２電源供給ラインＬＰ２の抵抗値（又はインピーダンス）が第２通信ラインＬＣ２よりも低くなり、入力ラインＬｂに供給された電源Ｖ２が、主として、第２通信ラインＬＣ２側ではなく第２電源供給ラインＬＰ２側へ送られる。その後、ステップＳ２０４に戻る。
【０１５５】
（６）タイミング制御における各部の動作
以下、図９を参照して、電源投入後の各部の動作状態について説明する。図９は、タイミング制御が実行された場合における各部の状態変化を示すタイミングチャートである。
【０１５６】
なお、以下の説明においては、主モジュールライン切換制御と副モジュールライン切換制御とを併せて「ライン切換制御」と総称する。
【０１５７】
また、第１通信ラインＬＣ１、主モジュール出力ラインＬａ、第１配線１ａ、第１副モジュール３３内の入力ラインＬｂ、第２通信ラインＬＣ２、副モジュール出力ラインＬｃ、第３配線３ａ、第２副モジュール３４内の入力ラインＬｂ、第２通信ラインＬＣ２、副モジュール出力ラインＬｃ、第５配線５ａ、第２副モジュール３４内の第２グランドラインＬＧ２、第４配線４ａ、第１副モジュール３３内の第２グランドラインＬＧ２、第２配線２ａ、第１グランドラインＬＧ１と続く経路を「カレントループ通信ライン」と称する。
【０１５８】
また、第１電源供給ラインＬＰ１、主モジュール出力ラインＬａ、第１配線１ａ、第１副モジュール３３内の入力ラインＬｂ、第２電源供給ラインＬＰ２、副モジュール出力ラインＬｃ、第３配線３ａ、第２副モジュール３４内の入力ラインＬｂ、第２電源供給ラインＬＰ２、副モジュール出力ラインＬｃ、第５配線５ａ、第２副モジュール３４内の第２グランドラインＬＧ２、第４配線４ａ、第１副モジュール３３内の第２グランドラインＬＧ２、第２配線２ａ、第１グランドラインＬＧ１と続く経路を「電源Ｖ２供給ライン」と称する。
【０１５９】
主制御部４１に電源Ｖ３が投入されると、起動制御が実行されて、切換部４７がオン状態に切り換わる。これにより、電源Ｖ２供給ラインが導通して第３電源供給ラインＬＰ３に電源Ｖ２が送られる。その結果、レベルシフタ５６から電源Ｖ４が副制御部５０に供給されるとともに、充電部５７において電源Ｖ４が充電される。その後、所定時間Ｔ１が経過するまでは、切換部４７はオン状態に保たれる。すなわち、主制御部４１は、起動時において、所定時間Ｔ１が経過するまでは、第１配線１ａ（又は第３配線３ａ）に電源Ｖ２が供給される状態（特許請求の範囲記載の「第１状態」に相当）を維持する。
【０１６０】
次に、電源Ｖ３の投入後、所定時間Ｔ１が経過すると、切換部４７がオフ状態に切り換えられる。これにより、電源Ｖ２供給ラインが遮断する。その結果、レベルシフタ５６から副制御部５０に供給されていた電源Ｖ４が遮断される一方で、充電部５７から副制御部５０に電源Ｖ４が供給される。
【０１６１】
また、これとともに、第２フォトカプラ４５ａ及び第４フォトカプラ５２ａがオン状態に切り換えられる。これにより、カレントループ通信ラインが導通状態となって、主制御部４１及び副制御部５０間におけるカレントループ通信が可能となる。その後、主制御部４１と各副制御部５０の間で同期が行われる。
【０１６２】
主制御部４１と各副制御部５０の同期が完了すると、主制御部４１及び各副制御部５０においてライン切換制御が実行される。具体的に、１周期を３secとするライン切換制御が継続的に実行される。
【０１６３】
当該ライン切換制御が実行されると、第１期間Ｐ１においては、切換部４７がオン状態に切り換わり電源Ｖ２供給ラインが導通する。これにより、第３電源供給ラインＬＰ３に電源Ｖ２が送られる。その結果、レベルシフタ５６から電源Ｖ４が副制御部５０に供給されるとともに、充電部５７において電源Ｖ４が充電される。一方で、第１期間Ｐ１においては、第２フォトカプラ４５ａがオフ状態に切り換わりカレントループ通信ラインが遮断する。
【０１６４】
第２期間Ｐ２においては、切換部４７がオフ状態に切り換えられる。これにより、電源Ｖ２供給ラインが遮断する。その結果、レベルシフタ５６から副制御部５０に供給されていた電源Ｖ４が遮断される一方で、充電部５７から副制御部５０に電源Ｖ４が供給される。また、第２フォトカプラ４５ａがオン状態に切り換えられて、カレントループ通信ラインが導通状態となる。また、これとともに、フォトカプラ５５がオン状態に切り換えられる。これにより、第２電源供給ラインＬＰ２の抵抗値（又はインピーダンス）が増加し、入力ラインＬｂに供給されたループ電流Ｉａが、主として、第２電源供給ラインＬＰ２側ではなく第２通信ラインＬＣ２側へ流れる。
【０１６５】
すなわち、第２期間Ｐ２においては、ループ電流Ｉａが、主としてカレントループ通信ラインを流れる。その結果、第２期間Ｐ２においては、主制御部４１及び副制御部５０間におけるカレントループ通信が可能となる。なお、第２期間Ｐ２においては、副制御部５０は充電部５７から電源Ｖ２を供給される。
【０１６６】
以上のように、通信システム３０では、ライン切換制御が実行されると、充電部５７に電源Ｖ４を充電する充電期間（第１期間Ｐ１）と、各通信モジュール間でカレントループ通信を行う通信期間（第２期間Ｐ２）と、が交互に切り替わるようになっている。
【０１６７】
また、主制御部４１は、所定のタイミングで、切換部４７及び第２フォトカプラ４５ａの動作を制御することで、第１配線１ａ（又は第３配線３ａ）に電源Ｖ２が供給される状態（特許請求の範囲記載の「第１状態」に相当）と、第１配線１ａ（又は第３配線３ａ）にループ電流Ｉａが供給される状態（特許請求の範囲記載の「第２状態」に相当）と、を切り換えている。また、副制御部５０は、起動してから所定時間Ｔ１が経過した後において、周期的に、フォトカプラ５５の状態を切り換えて、第２分岐ラインＬＤ２の導通及び遮断を切り換えている。
【０１６８】
（７）特徴
（７−１）
上記実施形態では、主モジュール３１は、主モジュール出力ラインＬａと第１出力端子３２３とを介して、接続ライン（第１配線１ａ）に接続される第１通信ラインＬＣ１及び第１電源供給ラインＬＰ１を、それぞれ含んでいる。また、副モジュール３２は、第１入力端子３２１を介して接続ライン（第１配線１ａ又は第３配線３ａ）に接続される第２通信ラインＬＣ２及び第２電源供給ラインＬＰ２をそれぞれ含んでいる。また、副モジュール３２は、一次側が第３電源供給ラインＬＰ３を介して第２電源供給ラインＬＰ２に接続され二次側が副制御部５０に接続されるレベルシフタ５６と、レベルシフタ５６の二次側に接続されるとともに副制御部５０に接続される充電部５７と、を含んでいる。
【０１６９】
これにより、接続ラインを介して、電源Ｖ２が副モジュール３２に供給される。その結果、通信システム３０では、副モジュール３２において個別に電源を配置する必要がなく、コストが抑制されている。また、通信モジュール間の接続ラインが、カレントループ通信ラインとして機能するとともに電源Ｖ２を送る電源Ｖ２供給ラインとしても機能しているため、通信モジュール間において接続ラインとは別に電源供給用の配線を設ける必要もなく、組立性に優れている。
【０１７０】
（７−２）
上記実施形態では、定電流源４２は、電源Ｖ２を供給する第２電源部１２０とは異なる第１電源部１１０に接続されている。これにより、副モジュール３２に電源Ｖ１よりも電源電圧が高い電源Ｖ２を供給することが可能となっている。
【０１７１】
（７−３）
上記実施形態では、副モジュール３２を複数備え、各副モジュール３２の副制御部５０は、電源負荷が同一である。これにより、カレントループ通信ラインとして機能するとともに電源Ｖ２を送る電源Ｖ２供給ラインとしても機能する接続ラインを用いて、２以上の副制御部５０に駆動用電源が供給されている。その結果、コストが抑制されており、組立性も向上している。
【０１７２】
（７−４）
上記実施形態では、主制御部４１は、所定のタイミングで、接続ラインに電源Ｖ２が供給される状態と、接続ラインにループ電流Ｉａが供給される状態と、を切り換えている。これにより、充電部５７が第１期間Ｐ１において充電され、副制御部５０は、第２期間Ｐ２において充電部５７から電源Ｖ４を供給されてカレントループ通信を行う。その結果、接続ラインが、所定のタイミングで、カレントループ通信ライン又は電源Ｖ２供給ラインに切り換わる通信システム３０において、副制御部５０は、駆動用の電源Ｖ４を継続的に供給されてカレントループ通信を行えるようになっている。
【０１７３】
（７−５）
上記実施形態では、起動時において、電源Ｖ３が投入されてから所定時間Ｔ１が経過するまでは、接続ラインに電源Ｖ２が供給される状態を維持している。これにより、起動時において、副モジュール３２に電源Ｖ２が供給され、副制御部５０の駆動用電源Ｖ４が充電部５７に充電される。その結果、接続ラインが、カレントループ通信ライン及び電源Ｖ２供給ラインの双方として機能する通信システム３０において、カレントループ通信を開始できるようになっている。
【０１７４】
（７−６）
上記実施形態では、副制御部５０は、起動後、所定時間Ｔ１が経過してからは、フォトカプラ５５の状態を制御して第２分岐ラインＬＤ２の導通及び遮断を周期的に切り換えている。これにより、副モジュール３２において、第１期間Ｐ１には第２電源供給ラインＬＰ２に電源Ｖ２が送られ、第２期間Ｐ２には第２通信ラインＬＣ２にループ電流Ｉａが送られる。その結果、接続ラインが、カレントループ通信ライン及び電源Ｖ２供給ラインの双方として機能する通信システム３０において、カレントループ通信を容易に行えるようになっている。
【０１７５】
（８）変形例
（８−１）変形例Ａ
上記実施形態では、通信システム３０は、室外制御部１６に適用されたが、これに限定されない。例えば、通信システム３０は、室内制御部２３に適用されてもよい。また、通信システム３０は、室外制御部１６と室内制御部２３の双方に渡って配置されてもよい。すなわち、いずれかの通信モジュールを室外制御部１６に配置するとともに、他の通信モジュールを室内制御部２３に配置してもよい。
【０１７６】
また、上記実施形態では、通信システム３０は、空調システム１００に適用されたが、換気装置や空気清浄機等の空調機器に適用されてもよい。また、通信システム３０は、給湯器や除湿器等のヒートポンプシステムに適用されてもよい。
【０１７７】
（８−２）変形例Ｂ
上記実施形態では、通信システム３０は、通信モジュールとして、１つの主モジュール３１と、２つの副モジュール３２を有していた。しかし、通信モジュールの数は特に限定されず、主モジュール３１は２つ以上あってもよく、副モジュール３２は１つでもよいし３つ以上あってもよい。
【０１７８】
（８−３）変形例Ｃ
上記実施形態では、電源Ｖ２は、直流電源であったが、交流電源であってもよい。係る場合、ダイオードブリッジや平滑コンデンサを含む直流電源生成部が、第１電源供給ラインＬＰ１、第２電源供給ラインＬＰ２、第３電源供給ラインＬＰ３、又は副制御部電源供給ラインＬＰ４に配置される。
【０１７９】
（８−４）変形例Ｄ
副モジュール３２は、圧縮機１１又は室外ファン１５の動作を制御していた。しかし、これに限定されず、副モジュール３２は、四路切換弁１２や膨張弁１４等の他のアクチュエータの制御を行ってもよい。
【０１８０】
（８−５）変形例Ｅ
上記実施形態では、切換部４７は、ＭＯＳＦＥＴであったが、ＩＧＢＴ（Insulated Gate Bipolar Transistor）やソリッドステートリレー等の他の半導体スイッチ、又は電磁リレーであってもよい。
【０１８１】
（８−６）変形例Ｆ
上記実施形態では、第２分岐ラインＬＤ２には、フォトカプラ５５が配設されていた。しかし、フォトカプラ５５に代えて、ＭＯＳＦＥＴ、ＩＧＢＴやソリッドステートリレー等の他の半導体スイッチ、又は電磁リレー等を配設し、副制御部５０によってこれらの動作を制御して、第２分岐ラインＬＤ２の導通及び遮断を切り換えさせるように構成してもよい。
【０１８２】
（８−７）変形例Ｇ
上記実施形態では、主制御部４１は、主モジュールライン切換制御において、周期的に、接続ラインに電源Ｖ２が供給される状態と、接続ラインにループ電流Ｉａが供給される状態と、を切り換えていた。しかし、これに限定されず、副制御部５０からの要求に基づいて、接続ラインに電源Ｖ２が供給される状態と、接続ラインにループ電流Ｉａが供給される状態と、を切り換えるように制御してもよい。係る場合には、副制御部５０が、必要に応じて、接続ラインに電源Ｖ２が供給するよう要求することが可能となり、汎用性が向上する。
【０１８３】
（８−８）変形例Ｈ
上記実施形態では、定電流源４２、第１電源部１１０、第２電源部１２０及び第３電源部１３０は、主モジュール３１に配設されていた。しかし、これらのいずれか又は全ては、必ずしも主モジュール３１に配設される必要はなく、他のユニットに配置されてもよい。
【０１８４】
（８−９）変形例Ｉ
上記実施形態では、所定時間Ｔ１は、３secに設定されていた。しかし、所定時間Ｔ１の値は、適宜変更が可能であり他の値に設定されてもよい。例えば、所定時間Ｔ１は１secに設定されてもよく、５secに設定されてもよい。
【０１８５】
また、上記実施形態では、主モジュールライン切換制御において、１周期が３secに設定され、第１期間Ｐ１は１周期のうち１sec経過するまでの期間として設定され、第２期間Ｐ２は１周期のうち第１期間Ｐ１経過後の残りの2secが経過するまでの期間として設定された。しかし、これに限定されず、１周期の時間、第１期間Ｐ１及び第２期間Ｐ２については適宜変更が可能である。例えば、１周期を６secに設定し、第１期間Ｐ１を１周期のうち２sec経過するまでの期間として設定し、第２期間Ｐ２を第１期間Ｐ１経過後の残りの４secが経過するまでの期間として設定してもよい。
【０１８６】
（８−１０）変形例Ｊ
上記実施形態では、主制御部４１は、主モジュールライン切換制御において、副制御部５０と同期をとりながら、周期的に、第１電源供給ラインＬＰ１に電源Ｖ２が供給される状態（第１状態）と、第１通信ラインＬＣ１にループ電流Ｉａが供給される状態（第２状態）と、を切り換えていた。しかし、状況によっては、副モジュール３２が第２送信部５２を有していないケースが想定される。係る場合には、副制御部５０側から主制御部４１へ信号を送信できないことから主制御部４１及び副制御部５０間で同期を確立することが難しい。
【０１８７】
そこで、主制御部４１は、電流検出部４８の検出結果に基づいて第１電源供給ラインＬＰ１に電源Ｖ２が供給される状態と、第１通信ラインＬＣ１にループ電流Ｉａが供給される状態と、を切り換えるように処理を行ってもよい。
【０１８８】
すなわち、副制御部５０に電源Ｖ４が供給されるとともに充電部５７の充電が完了し、副制御部５０によってフォトカプラ５５がオン状態に切り換えられて第２分岐ラインＬＤ２が導通すると、電源Ｖ２供給ラインの抵抗値（又はインピーダンス）が増大するため、第１電源供給ラインＬＰ１を流れる電流の電流値は低減する。係る原理に基づき、主制御部４１は、切換部４７がオン状態にあり第１電源供給ラインＬＰ１が導通している場合において、第１電源供給ラインＬＰ１に流れる電流の電流値が所定の閾値（特許請求の範囲記載の「第１閾値」に相当）未満の時には、電源Ｖ２の供給が不要であると判断して、切換部４７をオフ状態に切り換えて第１電源供給ラインＬＰ１を遮断するように処理を行ってもよい。なお、当該処理に用いる閾値については、制御プログラムにおいて適当な値が予め設定される。
【０１８９】
また、当該主制御部４１の処理に関連して、副制御部５０は、充電部５７への充電が完了したと判断した場合にはフォトカプラ５５をオン状態に切り換え、充電部５７への充電が不十分であると判断した場合にはフォトカプラ５５をオフ状態に切り換える処理を行うようにすればよい。
【０１９０】
また、主制御部４１は、切換部４７をオフ状態に切り換えて第１電源供給ラインＬＰ１を遮断してから所定時間（例えば３秒）が経過した後には、切換部４７をオン状態に切り換えて第１電源供給ラインＬＰ１を導通させるようにすればよい。これにより、断続的に第１電源供給ラインＬＰ１が導通し、副制御部５０に電源Ｖ２が供給される。
【０１９１】
主制御部４１及び副制御部５０がこのような処理を行うことで、副制御部５０側から信号を送信できない場合であっても、通信モジュール間の接続ラインが信号伝送路及び給電路の双方として機能する構成を用いて、カレントループ通信及び電源Ｖ２の供給を行うことが可能となる。よって、汎用性が向上する。また、電源Ｖ２の供給が不要な期間においては、電源Ｖ２供給ラインが遮断されるため、省電力性にも優れる。
【産業上の利用可能性】
【０１９２】
本発明は、空調システムに利用可能である。
【符号の説明】
【０１９３】
１ａ      ：第１配線（接続ライン）
２ａ      ：第２配線
３ａ      ：第３配線（接続ライン）
４ａ      ：第４配線
１０      ：室外ユニット
１１      ：圧縮機
１２      ：四路切換弁
１４      ：膨張弁
１５      ：室外ファン
１６      ：室外制御部
２０      ：室内ユニット
２３      ：室内制御部
３０      ：通信システム
３１      ：主モジュール
３２      ：副モジュール
３３      ：第１副モジュール
３４      ：第２副モジュール
４１      ：主制御部（主モジュール制御部）
４２      ：定電流源（カレントループ通信用電流源）
４４      ：第１受信部
４４ａ    ：第１フォトカプラ
４５      ：第１送信部
４５ａ    ：第２フォトカプラ（第１スイッチ）
４７      ：切換部
４８      ：電流検出部
５０      ：副制御部（副モジュール制御部）
５１      ：第２受信部
５１ａ    ：第３フォトカプラ
５２      ：第２送信部
５２ａ    ：第４フォトカプラ
５３      ：トランジスタ
５４      ：第２抵抗
５５      ：フォトカプラ（第２スイッチ）
５６      ：レベルシフタ
５７      ：充電部
６３      ：切換制御部
６６      ：主モジュールライン制御部
７２      ：アクチュエータ制御部
７３      ：通信制御部
７４      ：副モジュールライン制御部
１００    ：空調システム
１１０    ：第１電源部（第２電源）
１２０    ：第２電源部（第１電源）
１２２    ：中継配線（電源供給ライン）
１３０    ：第３電源部
３１１    ：出力端子（主モジュール出力端子）
３１２    ：入力端子
３２１    ：第１入力端子（副モジュール入力端子）
３２２    ：第２入力端子
３２３    ：第１出力端子
３２４    ：第２出力端子
５５２    ：発光ダイオード
Ｉａ      ：ループ電流（カレントループ通信用電流）
Ｊ１〜Ｊ１０    ：第１接続端子〜第１０接続端子
ＬＣ      ：通信ライン
ＬＣ１    ：第１通信ライン（通信ライン）
ＬＣ２    ：第２通信ライン（副モジュール通信ライン）
ＬＤ１    ：第１分岐ライン
ＬＤ２    ：第２分岐ライン（高負荷回路）
ＬＧ１    ：第１グランドライン
ＬＧ２    ：第２グランドライン
ＬＰ１    ：第１電源供給ライン
ＬＰ２    ：第２電源供給ライン（副モジュール電源供給ライン）
ＬＰ３    ：第３電源供給ライン
ＬＰ４    ：副制御部電源供給ライン
ＬＳ      ：ループ電流供給ライン
Ｌａ      ：主モジュール出力ライン
Ｌｂ      ：入力ライン
Ｌｃ      ：出力ライン
Ｔ１      ：所定時間
Ｖ１      ：電源
Ｖ２      ：電源（「副モジュール駆動用電源」）
Ｖ３      ：電源
Ｖ４      ：駆動用電源
【先行技術文献】
【特許文献】
【０１９４】
【特許文献１】特開２０１０−９８７２６号公報
【図１】
2016008734.tif 000003
【図２】
2016008734.tif 000004
【図３】
2016008734.tif 000005
【図４】
2016008734.tif 000006
【図５】
2016008734.tif 000007
【図６】
2016008734.tif 000008
【図７】
2016008734.tif 000009
【図８】
2016008734.tif 000010
【図９】
2016008734.tif 000011